(57)【要約】【課題】故意に入賞球を発生させるという不正行為を未然に防止できるようにした弾球遊技機を提供する。【解決手段】内枠２に配設された遊技盤５の前面を覆いかつ該遊技盤５の遊技部５ａが臨む窓口１７を開設した窓枠６と、窓枠６の裏側に着脱自在に装着され透明板３３により窓口１７を塞ぐようにした複層透明板１６とを有し、前記窓枠６の裏面と保持枠３２の前面に窓口１７の外周を囲うようにして環状の凹溝部３７と該凹溝部３７に嵌入する環状の突条３０をそれぞれ設け、凹溝部３７と突条３０により窓枠６の裏面と複層透明板１６の前面との隙間から挿入されるセル板等の不正具Ｆの侵入を阻止するようにした。【選択図】図７
2005245718.tif 000002
【特許請求の範囲】
【請求項１】
内枠に配設された遊技盤の前面を覆いかつ該遊技盤の遊技部が臨む窓口を開設した窓枠と、前記窓枠の裏側に着脱自在に装着され透明板により前記窓口を塞ぐようにした複層透明板とを有し、
前記窓枠の裏面又は前記複層透明板の前面の一方に前記窓口の外周を囲うようにして環状の凹溝部を設けると共に他方に該凹溝部に嵌入する環状の突条を設け、前記凹溝部と突条により前記窓枠の裏面と前記複層透明板の前面との隙間から挿入されるセル板等の不正具の侵入を阻止するようにしたことを特徴とする弾球遊技機。
【請求項２】
前記窓枠の裏面に、前記複層透明板を囲うようにして該複層透明板を窓枠の裏側に装着するときのガイドとなる案内枠を設けた請求項１記載の弾球遊技機。
【請求項３】
前記窓枠の前面に透光性の装飾部材を装着し、その裏側に前記装飾部材を点灯させる発光体を配置した請求項１又は２記載の弾球遊技機。
【発明の詳細な説明】
【技術分野】
【０００１】
この発明は、内枠に配設された遊技盤の前面を覆う窓枠に、該窓枠の開口を塞ぐ複層透明板を着脱自在に装着するようにした弾球遊技機に関するものである。
【背景技術】
【０００２】
弾球遊技機の一種であるパチンコ遊技機であってこの種のものは、例えば内枠に遊技盤が配設され、その内枠の表側に遊技盤の遊技部が臨む窓口を開設した合成樹脂製の窓枠が軸着されている。そして、前記窓枠にはその裏側から前記窓口を塞ぐ複層透明板を着脱自在に装着するようにしている（例えば、特許文献１参照。）。
【特許文献１】特開２００３−１２６４７３号公報（第３頁、図１）
【発明の開示】
【発明が解決しようとする課題】
【０００３】
しかしながら、前記特許文献１におけるパチンコ遊技機にあっては、窓枠の裏面に窓口を覆うようにして複層透明板が着脱自在に装着されているが、遊技者が窓枠の前側から窓口の内周縁を手前に少し引き起し、その窓枠の裏面と複層透明板の外周縁の前面との間に作られる隙間から薄いセル板等の不正具を差し込み、そのまま遊技盤面に這わせて故意に入賞球を発生させるという不正がしばしば行なわれている。よって、これに対する対策を早急に講じる必要がある。
【０００４】
そこで、本発明は上記課題を解決すべくなされたもので、窓枠の裏面と複層透明板の前面との間の隙間から不正具が差し込まれるのを阻止して、故意に入賞球を発生させるという不正行為を未然に防止するようにした弾球遊技機を提供することを目的とするものである。
【課題を解決するための手段】
【０００５】
かかる目的を達成するため本発明に係る弾球遊技機は、内枠に配設された遊技盤の前面を覆いかつ該遊技盤の遊技部が臨む窓口を開設した窓枠と、前記窓枠の裏側に着脱自在に装着され透明板により前記窓口を塞ぐようにした複層透明板とを有し、前記窓枠の裏面又は前記複層透明板の前面の一方に前記窓口の外周を囲うようにして環状の凹溝部を設けると共に他方に該凹溝部に嵌入する環状の突条を設け、前記凹溝部と突条により前記窓枠の裏面と前記複層透明板の前面との隙間から挿入されるセル板等の不正具の侵入を阻止するようにした構成からなる。
【０００６】
この際、前記窓枠の裏面に、前記複層透明板を囲うようにして該複層透明板を窓枠の裏側に装着するときのガイドとなる案内枠を設けることが好ましい。
【０００７】
また、前記窓枠の表面に透光性の装飾部材を装着し、その裏側に前記装飾部材を点灯させる発光体を配置することが好ましい。
【発明の効果】
【０００８】
本発明は、前記窓枠の裏面と前記複層透明板の前面に前記窓口の外周を囲うようにして環状の凹溝部と該凹溝部に嵌入する環状の突条をそれぞれ設けた構成からなるので、仮に、窓枠の裏面と複層透明板の前面との間の隙間から不正具を差し込もうとしても、その先端が凹溝部内で支えて通過できず、それ以上の侵入が阻止されるので、故意に入賞球を発生させるという不正行為が未然に防止できるという効果が有る。
【０００９】
前記窓枠の裏面に、前記複層透明板を囲うようにして該複層透明板を窓枠の裏側に装着するときのガイドとなる案内枠を設けるようにすれば、複層透明板が容易に装着できることになり、その取付作業の迅速化が図られるという効果が有る。
【００１０】
また、前記窓枠の前面に透光性の装飾部材を装着し、その裏側に前記装飾部材を点灯させる発光体を配置するようにすれば、該発光体を発光させることにより電飾効果を高めることができる。
【発明を実施するための最良の形態】
【００１１】
以下、本発明に係る弾球遊技機の実施の形態を図面に基づき説明する。弾球遊技機にはパチンコ遊技機、雀球遊技機、アレパチ機、アレンジボール機があり、本発明はいずれにも適用できるが、この内、パチンコ遊技機について説明する。
【００１２】
図１は本発明に係るパチンコ遊技機の正面図、図２は窓枠を開いたパチンコ遊技機の斜視図である。図において、１はパチンコ遊技機Ｐにおける木製の外枠であって縦長方形枠状に成形される。その前面に内枠２がその一側上下部を前記外枠１の一側上下部に設けた軸支部３，３に軸支して回動自在に装着される。前記内枠２にはその中央に大きな開口４が成形される。そして、内枠２の後側に遊技盤５が配設され、前記開口４に遊技盤５の遊技部５ａが臨むようになっている。内枠２の上部前面に遊技盤５の表面を覆う窓枠６が回動自在に軸着される。内枠２の下部前面には、前板７が配置され、その前面に発射位置（図示せず。）へ供給する弾球としてのパチンコ球を貯留する打球供給皿７ａが装着される。また、その下方に下部前板８が配置され、その前面に打球供給皿７ａから溢れるパチンコ球を貯留する余剰球貯留皿８ａとその一側に位置し打球の打球力を調節するための操作ハンドル９がそれぞれ装着される。
【００１３】
前記遊技盤５の前面に、遊技部５ａを囲うように内側ガイドレール１０ａと外側ガイドレール１０ｂとが渦巻き状に敷設される。前記遊技部５ａには、ほぼ中央に表示部１１ａを備えた可変表示装置１１が配置され、また、その下方にパチンコ球の入賞により前記表示部１１ａの文字、数字、図形等の情報を変動表示させる始動入賞口１２が配置される。更に、その下方に位置して前記変動した情報が一定の時間経過後に停止して特定の表示（例えば、「７７７」）を示し、遊技者にとって有利な特別遊技状態になったとき、一定の条件の下で開閉扉１３ａを所定回数開成させて一度に多くの入賞球が得られる入賞装置１３が配置される。また、１４，１４はその両側に配設される一般入賞口である。
【００１４】
次に、前記窓枠６について詳しく説明する。窓枠６は、図３、図４に示すように窓枠本体１５と該窓枠本体１５の裏側に着脱自在に装着される複層透明板１６とからなる。窓枠本体１５は、合成樹脂製であってほぼ方形状に成形されている。そして、その中央部に円形状の窓口１７が開設される。この窓口１７に前記遊技盤５の遊技部５ａが臨み、窓枠６の表側から前記遊技部５ａが視認できるようになっている。
【００１５】
窓枠本体１５の前面に透光性の装飾部材１８が複数取り付けられ、各装飾部材１８の裏側である内部には、窓枠本体１５側に取り付けられる配線基板１９が配置され、その前面に発光体であるＬＥＤ２０が配置される。そして、各ＬＥＤ２０が発光することにより、各装飾部材１８が所定の色に点灯されて電飾効果を高めるようにしている。発光体としてはランプであっても良い。図示は省略するが、前記配線基板１９は窓枠本体１５の前面に取り付けられる以外に、窓枠本体１５の裏側に配線基板１９を配置すると共に窓枠本体１５にこれと対応位置させて透孔を開設し、該透孔を介して装飾部材１８を点灯させるようにしても良い。または、内枠２の表面に前記配線基板１９を取り付け、同様に前記透孔を介して装飾部材１８を点灯させるようにしても良い。
【００１６】
窓枠本体１５の裏面には、窓口１７の内周縁に沿って該窓口１７と同じ円形の環状リブ１５ａが周設され、方形状の外周縁にもその外周縁に沿って周縁リブ１５ｂが一体に設けられている。また、窓枠本体１５の裏面であって前記窓口１７の外周側に、その中心を通りかつほぼ直交する二本の線上に位置した四個所に、後面にビス孔２１を設けたボス２２が突設される。各ボス２２には、複層透明体１６を固定するための係止部材２３が軸着される。各係止部材２３は、合成樹脂製からなり、下面が開放し前記ボス２２に嵌着する筒体部２４の一側に該筒体部２４からほぼ直角に延びる押圧板２５が一体に設けられる。この押圧板２５の先端側の内面には半球状の突起２６が設けられている。そして、筒体部２４をボス２２に嵌着し、筒体部２４の後面に設けられた螺子挿通孔２７を介してボス２２のビス孔２１に螺子２８を螺合することにより係止部材２３が窓枠本体１５の裏面に沿って回動自在に軸着される。
【００１７】
また、窓枠本体１５の裏面であって、前記窓口１７の環状リブ１５ａの外側に沿って同じく環状窪み部２９が周設され、その外周縁に沿って窓口１７を囲うように窓口１７と同心円状に環状の突条３０が周設されている。更に、その外側に沿って所定の間隔離しかつ各ボス２２の部位を残して前記突条３０と同心円をなす環状の案内枠３１が周設されている。前記環状リブ１５ａよりも環状の突条３０の方が高く、該環状の突条３０よりも環状の案内枠３１の方が高く成形されている。
【００１８】
一方、複層透明板１６は、合成樹脂製の円環状の保持枠３２と該保持枠３２の表裏面に所定の間隔離して取り付けられる二枚の円形の透明板であるガラス板３３から構成される。図７に示すように保持枠３２は、その内周縁の表裏部に環状切欠部３４が設けられ、各環状切欠部３４にそれぞれ１枚ずつガラス板３３が嵌入され固定される。通常、前記各環状切欠部３４の内周面に接着剤を塗布しておき、ガラス板３３を接着させる。各表裏側のガラス板３３の表裏面と保持枠３２の表裏面はいずれも面一になっている。これにより、両ガラス板３３，３３間には密閉された空洞部３５が成形される。前記透明板は合成樹脂材であっても良い。
【００１９】
前記保持枠３２の外周端面にはその前端縁に沿って環状鍔部３６が周設される。環状鍔部３６の前面は保持枠３２の前面と面一に成形され、該環状鍔部３６の前面に前記環状の突条３０が嵌入する環状の凹溝部３７が周設されている。突条３０は凹溝部３７内に僅かな隙間しか生じない状態で嵌入する。また、環状鍔部３６の外径寸法は環状の案内枠３１の内径寸法よりも少し小さく設定してある。
【００２０】
前記環状鍔部３６の周端面に前記各ボス２２に対応位置して二又状の固定板部３８が突設される。また、保持枠３２の周端面の一側に周囲を環状鍔部３６と囲い枠３９とにより囲われ、その内側の保持枠３２に二枚のガラス板３３，３３間の空洞部３５と連通する複数の通孔４０が貫設された乾燥剤収容部４１が成形される。この乾燥剤収容部４１には乾燥剤が収納され、蓋部材（図示せず。）により密閉されるようになっている。これにより、前記空洞部３５内に湿気が溜まってガラス板３３の内面が曇ってしまい、遊技がしづらいという状態を回避することができる。
【００２１】
そこで、窓枠本体１５の裏側に、環状鍔部３５が前側に位置するようにして複層透明板１６を配置し、案内枠３１にガイドさせつつ各ボス２２に取り付けられた係止部材２３の押圧板２５を図５鎖線に示す位置に配置させる。この状態で、複層透明板１６を窓枠本体１５の裏側へ押し付け、各固定板部３８を各ボス２２に合致させる。すなわち、各固定板部３８の二股間に各ボス２２が配置されるようにする。そして、各固定板部３８の二股間に各ボス２２が位置した状態で、各押圧板２５を図５実線位置まで回動させて固定板部３８の外面に重ね合わせ、図６に示すように突起２６を固定板部３８の凹部４２に嵌入させる。これにより、窓枠本体１５に複層透明板１６が装着される。４３，４３は、窓枠本体１５と固定板部３８とに設けられ押圧板２５の回動範囲を規制するストッパ片である。
【００２２】
複層透明板１６が窓枠本体１５の裏面に装着された状態では、図７に示すように窓枠本体１５の環状の突条３０が同じ環状の凹溝部３７に嵌入している。よって、本発明にあっては、仮に、図７鎖線に示すように窓枠本体１５の裏面と複層透明板１６の外周縁の表面との間の隙間から内側へセル板といった不正具Ｆを差し込もうとしても、前記突条３０が凹溝部３７内に嵌入したままとなっていることから、通路が複雑となって不正具Ｆの先端が凹溝部３７内で支えて通過できず、それ以上の侵入が阻止される。これにより、故意に入賞球を発生させるという不正行為が未然に防止される。
【００２３】
本実施の形態では、窓枠本体１５に突条３０を設け、複層透明板１６に突条３０が嵌入する凹溝部３７を設けるようにしたが、逆に、窓枠本体１５に凹溝部３７を設け、複層透明板１６に突条３０を設けるようにしても本発明の目的は十分に達成し得る。窓枠本体１５の窓口１７が方形状のときは、複層透明板１６もそれに合わせた方形状に成形されるが、この場合も本発明が適用できる。
【図面の簡単な説明】
【００２４】
【図１】本発明に係るパチンコ遊技機の正面図。
【図２】窓枠を開いたパチンコ遊技機の斜視図。
【図３】窓枠本体の裏面斜視図。
【図４】複層透明板の斜視図。
【図５】係止部材部位を示す窓枠の一部の裏面図。
【図６】図５のＸ−Ｘ線断面図。
【図７】窓枠部位を示すパチンコ遊技機の平面断面図。
【符号の説明】
【００２５】
２                    内枠
５                    遊技盤
５ａ                  遊技部
６                    窓枠
１６                  複層透明板
１７                  窓口
３０                  突条
３２                  保持枠
３３                  透明板（ガラス板）
３７                  凹溝部
Ｆ                    不正具
Ｐ                    弾球遊技機（パチンコ遊技機）
【図１】
2005245718.tif 000003
【図２】
2005245718.tif 000004
【図３】
2005245718.tif 000005
【図４】
2005245718.tif 000006
【図５】
2005245718.tif 000007
【図６】
2005245718.tif 000008
【図７】
2005245718.tif 000009